【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
第１の建築構造部材を第２の建築構造部材にファスナ及びアンカー部材と共同して結合するコネクタであり、前記コネクタが、前記ファスナと接合して前記第１の建築構造部材に取付けられる背面部材と、前記背面部材に接続された第１側面部材と、前記背面部材に接続された第２側面部材と、第１及び第２アンカー受け部材を備え、前記第１及びダイ２アンカー受け部材は互いに離して形成され、かつ前記背面部材並びに前記第１及び第２側面部材から離して形成され、前記第１及び第２アンカー受け部材の両方は前記第と第２の側面部材の間を横に伸び、前記第１及び第２のアンカー受け部材の両方は前記第１及び第２の側面部材に接続され、前記第１及び第２のアンカー受け部材は前記第１と第２のアンカー受け部材の間に前記コネクタを前記第２の建築構造部材に取付けるためにそれを通して前記アンカー部材を受ける空間が存在するように配置されているコネクタ。
【請求項２】
前記アンカー部材は前記第２の建築構造部材に接続されており、前記コネクタは前記アンカー部材を受け、ファスナが前記コネクタの前記背面部材を前記第１の建築構造部材に接続する請求項１に記載のコネクタ。
【請求項３】
前記コネクタの前記背面部材が上縁と下縁を有し、前記コネクタの前記第１及び第２のアンカー受け部材が整列支持面を形成されている請求項２に記載のコネクタ。
【請求項４】
前記第１及び第２のアンカー受け部材の前記整列支持面に配置され、前記第１と第２のアンカー受け部材の間の前記空問に跨がる前記コネクタの座金部材をさらに備え、前記座金部材が前記アンカー部材を受ける穴を形成されて前記穴を通して前記コネクタを前記第２の建築構造部材に取付ける請求項３に記載のコネクタ。
【請求項５】
前記コネクタの前記背面部材が前記ファスナを受ける穴を形成されている請求項２に記載のコネクタ。
【請求項６】
前記コネクタの前記第１の側面部材が前記第１のアンカー受け部材を受ける第１の穴と第２のアンカー受け部材を受ける第２の穴を形成されており、前記コネクタの前記第２の側面部材が前記第１のアンカー受け部材を受ける第１の穴と前記第２のアンカー受け部材を受ける第２の穴を形成されている請求項２に記載のコネクタ。
【請求項７】
前記第１のアンカー受け部材が第１及び第２の端並びに本体部分を備え、前記第２のアンカー受け部材が第１及び第２の端並びに本体部分を備え、前記第１と第２のアンカー受け部材の前記第１と第２の端が前記第１と第２のアンカー受け部材の前記本体部分より幅が広く、前記第１と第２側面部材の中の前記第１と第２のアンカー受け部材を受ける前記第１と第２の穴より幅が広く、前記第１と第２のアンカー受け部材が所定の位置に留められるようになっている請求項６に記載のコネクタ。
【請求項８】
前記コネクタの前記第１及び第２の側面部材がほぼ矩形の形をしている請求項２に記載のコネクタ。
【請求項９】
前記背面部材の向かい側に前記第１の側面部材に接続された第１のフランジ、及び前記背面部材の向かい側に前記第２の側面部材に接続された第２のフランジをさらに備える請求項２に記載のコネクタ。
【請求項１０】
前記第１及び第２のフランジが前記第１と第２の側面部材の長さ全体にわたって伸び、かつ互いの方へ向かって伸びており、前記第１と第２のフランジの幅が一様なものでなく、前記第１と第２のアンカー受け部材が前記第１と第２の側面部材に接続されるところでは他の部分より互いに近づいている請求項９に記載のコネクタ。
【請求項１１】
前記アンカー部材を受ける前記空間は前記第１と第２のアンカー部材および前記第１と第２の側面部材によって囲われている請求項２に記載のコネクタ。
【請求項１２】
前記第１と第２のアンカー受け部材は各々一体部材として形成され、前記第１と第２のアンカー受け部材は共に前記第１と第２の側面部材の間に横方向に伸び、前記第１と第２のアンカー受け部材は共に前記第１と第２の側面部材に接続されている請求項２に記載のコネクタ。
【請求項１３】
第１の建築構造部材を第２の建築構造部材にファスナ及びアンカー部材と共同して結合するコネクタであり、前記コネクタが、前記ファスナと界を接して前記第１の建築構造部材に取付けられるように形成され、上縁及び下縁を有する背面部材と、前記背面部材に接続され、かつ前記背面部材の前記下縁より上に配置されている第１の穴を形成されている第１の側面部材と、前記背面部材に接続され、かつ前記背面部材の前記下縁より上に配置されている第１の穴を形成された第２側面部材と、前記アンカー部材との機械的インタロックを達成する支持面及び前記コネクタを前記第２の建築構造部材に取付けるために前記アンカー部材を受ける開口部を形成され、前記第１と第２の側面部材にある前記第１の穴に挿入され、前記二つの側面部材によって支持される第１のアンカー受け部材を備えるコネクタ。
【請求項１４】
前記アンカー部材は前記第２の建築構造部材に接続され、前記コネクタは前記アンカー部材を受け、ファスナが前記コネクタの前記背面部材を前記第１の建築部材に接続する請求項１３に記載のコネクタ。
【請求項１５】
前記背面部材が前記ファスナを受ける穴を形成されている請求項１４に記載のコネクタ。
【請求項１６】
前記第１のアンカー受け部材が第１及び第２の端並びに本体部分を備え、前記第１のアンカー受け部材の前記第１と第２の端が前記第１と第２のアンカー受け部材の前記本体部分より幅が広く、前記第１と第２の側面部材の中の前記第１のアンカー受け部材を受ける前記第１と第２の穴より幅が広く、前記第１のアンカー受け部材が所定の位置に留められるようになっている請求項１５に記載のコネクタ。
【請求項１７】
前記第１及び第２の側面部材がほぼ矩形の形をしている請求項１３に記載のコネクタ。
【請求項１８】
第１のフランジが前記背面部材の向かい側に前記第１の側面部材に接続され、第２のフランジが前記背面部材の向かい側に前記第２の側面部材に接続されている請求項１３に記載のコネクタ。
【請求項１９】
前記第１及び第２のフランジが前記第１と第２の側面部材の長さ全体にわたって伸び、かつ互いの方へ向かって伸びており、前記第１と第２のフランジが可変幅のものであり、前記第１のアンカー受け部材が前記第１と第２の側面部材に接続されるところでは他の部分より互いに近づいている請求項１８に記載のコネクタ。
【請求項２０】
第１の建築構造部材を第２の建築構造部材にファスナ及びアンカー部材と共同して結合するコネクタであり、前記コネクタが、前記ファスナと界を接して前記第１の建築構造部材に取付けられる背面部材と、前記背面部材に接続され、第１の穴を形成された第１の側面部材と、前記背面部材に接続され、第１の穴を形成された第２の側面部材と、前記アンカー部材との機械的インタロックを達成する支持面及び前記コネクタを前記第２の建築構造部材に取付けるために前記アンカー部材を受ける開口部を形成され、前記第１及び第２の側面部材にある前記第１の穴に挿入され、前記二つの側面部材によって支持される第１のアンカー受け部材を備え、前記コネクタの前記第１アンカー受け部材が第１及び第２の端と本体部分を備え、前記第１アンカー受け部材の前記第１及び第２の端は、前記第１アンカー受け部材の前記本体部分より幅が広く、前記第１アンカー受け部材を適所に固定するように前記第１アンカー受け部材を受ける前記第１及び第２の側面部材にある前記第１穴より幅が広いことを特徴とするコネクタ。
【請求項２１】
前記アンカー部材は前記第２の建築構造部材に接続され、前記コネクタは前記アンカー部材を受け、ファスナが前記コネクタの前記背面部材を前記第１の建築部材に接続する請求項２０に記載のコネクタ。
【請求項２２】
前記背面部材が前記ファスナを受ける穴を形成されている請求項２１に記載のコネクタ。
【請求項２３】
前記第１のアンカー受け部材が第１及び第２の端並びに本体部分を備え、前記第１のアンカー受け部材の前記第１と第２の端が前記第１と第２のアンカー受け部材の前記本体部分より幅が広く、前記第１と第２の側面部材の中の前記第１のアンカー受け部材を受ける前記第１と第２の穴より幅が広く、前記第１のアンカー受け部材が所定の位置に留められるようになっている請求項２２に記載のコネクタ。
【請求項２４】
前記第１及び第２の側面部材がほぼ矩形の形をしている請求項２１に記載のコネクタ。
【請求項２５】
第１のフランジが前記背面部材の向かい側に前記第１の側面部材に接続され、第２のフランジが前記背面部材の向かい側に前記第２の側面部材に接続されている請求項２２に記載のコネクタ。
【請求項２６】
前記第１及び第２のフランジが前記第１と第２の側面部材の長さ全体にわたって伸び、かつ互いの方へ向かって伸びており、前記第１と第２のフランジが可変幅のものであり、前記第１のアンカー受け部材が前記第１と第２の側面部材に接続されるところで他の部分より互いに近づいている請求項１８に記載のコネクタ。